(57)【要約】      （修正有）【課題】使い捨て集塵吸着シートの使用効率を大幅に拡大できるようにした。【解決手段】集塵シート６の端を、サランタワシ材３の長手方向辺に沿って噛ませるように押圧する。次に対向側長手方向に同じように接着する。この段階で余った集塵シートを適度に手繰り寄せながら切り込み孔に横２個ずつ並行状のヒダ９ができるようにシート６を差し込む。【選択図】  図２
2006198221.tif 000002
【特許請求の範囲】
【請求項１】
集塵吸着用不織布を、ナイロン、ポリエステルなどの硬質繊維の不織布に押圧接触させることによって、絡着固定することを特徴とする集塵吸着シートの固定法。
【請求項２】
台座１にもち手２を立設した掃除具において、ナイロン、ポリエステルなどの硬質繊維の不織布（以下サランタワシ材３という）を平面状に形成し、該サランタワシ材表裏に貫通する切込み孔５を面上の複数箇所に設けたものを前記台座の集塵吸着面に貼設し、集塵吸着用不織布（以下集塵シート６という）を、前記サランタワシ材表面への押圧と、前記孔に差し挟んで着脱自在に設けてなることを特徴とする掃除具。
【請求項３】
台座にもち手を立設し、サランタワシ材を平面状に形成し、該サランタワシ材表裏に貫通する切り込み孔を複数箇所に設けたものを前記台座の集塵吸着面に貼設してなる掃除具の、前記台座の左右端部寄りで対称位置に貫通する孔８と孔内部周縁に内側に向かって放射状の間隙のある舌片状の弾性部材７を設けたことを特徴とする請求項２記載の掃除具。
【請求項４】
サランタワシ材を内面に有する筒状物１０の筒内部に、集塵シート６を挿入して固定しシートを筒状物より突出させて刷毛状に形成することを特徴とする掃除具。
【発明の詳細な説明】
【技術分野】
【０００１】
使い捨て集塵吸着シートを使用する掃除具への固定方法と、その掃除具に関する。
【背景技術】
【０００２】
本願に類する掃除具に関わる先行技術としては以下のような文献が開示されている。
【特許文献１】特願平８−３２７９１４「スリッパ式掃除具」
【特許文献２】特願２００２−１２６９２０（Ｐ２００２−１２６９２０）「簡易モップ」
【発明の開示】
【発明が解決しようとする課題】
【０００３】
使い捨て集塵シートを使用するフローリングの掃除や家具等の埃取りに使用する掃除具へのシート取り付け方法は、特許文献２や市販商品に広く存在するように、先端の台座をシートで包み、上面に設けた４隅に設けた切込み孔にシートを差し挟んで固定する方法がとられている。
この方法の掃除具を使用した場合、シートの使用範囲は、全体の３０から４０パーセントであり、非常に無駄が多い。なぜならば、シートは床などの接触面以上に、台座を包むために必要な部分が多いからである。例えばシート固定部を床など接触面に設けたとしても、従来の掃除具の台座には表面が平坦で密な素材で形成されているためシートを保持できる力がない。
【０００４】
特許文献１は、スリッパ式の掃除具であって、集塵シートの取り付け方法に関する出願であるが、ここで使用しているシート貼り付け面の部材は、弾力性のある発泡プラスチックである。この場合は集塵シートの不織布繊維を絡みつける力は少なく、必ず他の固定手段を用いて取り付ける方法が必要である。
特許文献２は、モップ 本体に対する柄の着脱を簡易な構成で可能とすることで、廉価に製造することができると共に長期間の使用に耐えることができ、更にその着脱操作が容易である簡易モップ を提供することを目的とするとあり、台座の構成は従来品と同一で、新規性を謳ったものではない。
本発明は、非常に安価で、構造が簡単で強力にシートを絡着し、使用範囲を従来の２倍以上、つまり全体の８０パーセントを可能とするばかりでなく、平面上の掃除具ばかりでなく、刷毛状の立体的にシートを使用する掃除具にすることも出来、使用手順が簡単で安価であることを提供するものである。
【課題を解決するための手段】
【０００５】
先ず、集塵シートの取り付け方法について述べる。集塵吸着用不織布を、ナイロン、ポリエステルなどの硬質繊維の不織布に押圧接触させることによって、固定するものである。これは、集塵用のシートと、ポリエステルなどの硬質繊維の不織布は、いずれも不織布であり、繊維が不定形に絡んでいる。そのために、それぞれの素材を押し当てることによって、繊維同士が入り込み、手を繋ぐ形が生じ、しっかりと絡着固定される。
次に掃除具の構造として、先ず、平面的にシートを固定する方法について述べる。台座１にもち手２を立設した掃除具である。フローリング用のモップや、ハンディタイプの柄附き掃除具がこれに該当する。ポリエステルなどの硬質繊維の不織布（以下サランタワシ材３という）を平面状に形成し、該サランタワシ材表裏に貫通する切り込み孔５を４隅近傍に設けたものを、前記台座の集塵吸着面に貼設し、集塵吸着用不織布（以下集塵シートという）を、前記サランタワシ材表面への押圧と、前記孔に差し挟んで着脱自在に設けるものである。
【０００６】
他の構造として、立体面にシートを固定する方法について述べる。これは、回転ブラシ様の掃除具や、刷毛様の掃除具がこれに該当する。サランタワシ材を筒状に形成するかもしくは、筒部材１０の内面にサランタワシ３部材を設けた該筒内部に、集塵シート６を挿入して固定するものである。
【０００７】
さらに、もち手付き前記掃除具の付加手段として、該台座の端よりに、左右対称の貫通した孔８を設け、該孔内部周縁に内側に向かった放射状の間隙のある舌片状の弾性部材７を設けることによって、本掃除具を濡れタオルで包み雑巾モップとの兼用とすることができる。
【発明の効果】
【０００８】
床に接触する面に固定し、集塵面を大幅に拡大するという進歩性と、集塵シート自体を掴む力のある素材を設けることによって、支持と固定との２つの作用をするという、従来ににない盲点といえる新規性を持つことが、最大の特徴であり効果である。なぜならば、本素材のポリエステルなどの硬質繊維の不織布は、非常に安価で、加工が容易である。また、使用者から見た場合も、先ず、第一に安価で留め具などの別手段がないから構造が単純で、使い方も用意である。使用可能範囲が２倍以上大幅にアップするので経済的である。従来品は全体の３０から４０パーセントが使用可能部分であるが、本発明は、８０パーセント以上を使用可能とする。それ以上にすることも可能である。使用後のシートを取り外すときに掴む範囲は縁の立ち上がり部分で十分その余地は存在する。本発明は市販の一般的なシート素材が利用できる。シートは台座よりサイズが大きい。そのゆとり部分をギャザー状に固定すれば、拭き取り面に凹凸が生じ、髪の毛などさらに絡みとり易く、掃除効率が向上する。素材は軽く、衝撃があってもクッション性があるので、腕にかかる負担が少ない。さらに、立体的に、筒状にしたサランタワシ材の中に集塵シートを挿入して使用するものは、適当に寄せ集めて小さくした集塵シートを差し込むだけであり、筒内部に隠れた部分は一度取り外して方向を変えて入れなおせば無駄なく使用できるから、まことに簡単に着脱が出来、構造が簡単で、製造コストも安いなどの様々な効果がある。
また、平面的な台座を有する掃除具は、台座の端寄りに左右対称の穴を設け、内部周縁に放射状の間隙のある舌状の弾性部材を設けることによって、サランタワシ材をハンカチタイプのタオルによる雑巾で包み込み、台座上部に回し、台座に設けた孔にタオル四隅を差し込むことで、サランタワシのクッション性と、しっかりとした固定手段で、非常に簡単に着脱できる雑巾モップとしても大きな利点がある。なぜならば、掃除は、濡れ雑巾などによる水拭きによる汚れ取りと、ドライシートによる埃取りは掃除手段として、必ず両方が必要で、それぞれの掃除具を容易するのは、面倒であるばかりでなく収納も邪魔である。また、雑巾を取り付けるモップは、金属留め具や、クリップ状留め具など、構造が複雑なものとなっているが、台座に設けた一対の孔だけで固定すれば、突出部もなく、使用も容易で、濡れ拭き、空拭きがまことに簡単に両用できる大きな効果がある。この、雑巾固定は、従来のクッションのすくないドライシート専用の台座に設けられた掃除具では、いずれも、台座に設けた留め孔は４箇所の孔からなり、雑巾の４隅は固定されていないので、濡れたタオルは重みがあるため、掃除中微妙に遊びができて、中で台座だけが動く使い難さがあるが、本発明は動く原因のタオルの四隅をしっかりと固定し、サランタワシのクッション性で、掃除具の角が物に当たっても衝撃を緩衝でき、使い心地は極めて良好である。雑巾の場合は、使い捨てではないので、着脱が容易で、安定した使用感が最優先となり、台座を包み込むことによる使用範囲の減少は問題点とはならない。
【０００９】
本発明の掃除具の実施例をのべる。
先ず、平面的な集塵面を有するフローリング用モップ型掃除具を図面に従って説明する。
図１は、本発明、モップ型組み立て構造図である。
台座１にもち手の２が植設したモップである。前記台座１の床接触面にシート状のサランタワシ材３を貼設する。このとき、台座１とシート状サランタワシ材３の間にスポンジ４などのクッション素材を貼り合わせると使用感が向上する。台座１とシート状サランタワシ材３が同一、またはシートがやや大きいことが適する。同一の場合はシート状サランタワシ材２が台座１より外周約５ミリから１センチほど大とすると集塵シートの安定が増す。シート状サランタワシ材には、貫通する切込み孔５を４隅近傍に設ける。さらにその間に設けることも可能である。
【００１０】
図２は使用例図である。使用方法について説明する。
集塵シート６の端を、サランタワシ材３の長手方向辺に沿って噛ませるように押圧する。次に対向側長手方向に同じように接着する。この段階で余った集塵シートを適度に手繰り寄せながら切り込み孔５に横２個ずつ並行状のヒダ９ができるようにシート６を差し込む。
使用後はシートを端から静かに剥がす。
【００１１】
図３は立体的なサランタワシ材で形成された掃除具の実施態様図である。
筒状物１０の内部にサランタワシ材３を設ける。該筒内に、集塵シート６を程よく寄せ集めて差し込み、刷毛様の形となし使用する。先端筒状のサランタワシ材３に複数の切り込み１１を設けてやや外側に筒先が広がるようにすることで集塵シートを取り付け易くなる。
筒状物１０基底部１２はモーターによって回転するノズルに冠着することや、柄に取り付けることもできる（図示せず）。
【００１２】
図４は平面状のモップ型掃除具をドライシートのみならず、濡れたタオルなどの雑巾を取り付けられる兼用型にする実施例である。
台座１に持ち手２を設け、床接触面にサランタワシ材３を設けた形状は図１に示す構造と同様である。台座１とサランタワシ部材に貫通する孔８を、左右端部寄りに、１対設け、内部に中心に向かった放射状の間隙のある舌片状の弾性部材７を内設する。
使用するときは、ハンカチ型のタオルで、台座を包み込みタオルの４隅を台座の上部から前記孔に挿し通して固定する。このようにすることによって、一つの掃除具で、ドライ、ウェット両用とすることができるばかりでなく、サランタワシ材の部分は直接集塵に接触しないので、部材の耐用時間が大きいばかりでなく、従来の雑巾を取り付けるモップのように、掃除具の角が突出して、掃除中壁や床に衝突することはなく、床と壁の角もしっかり押し当てて隅々まで拭き取ることができる。  
【図面の簡単な説明】
【００１３】
【図１】本発明、モップ型組み立て構造図である。
【図２】使用例図である。
【図３】立体的なサランタワシ材で形成された掃除具の実施態様図である。
【図４】雑巾兼用型実施態様図である。
【符号の説明】
【００１４】
１  台座
２  もち手
３  シート状サランタワシ材
４  スポンジ
５  切り込み
６  集塵シート
７  舌片状弾性部材
８  孔
９  ヒダ
１０  筒状物
1１  切り込み
１２  基底部
【図１】
2006198221.tif 000003
【図２】
2006198221.tif 000004
【図３】
2006198221.tif 000005
【図４】
2006198221.tif 000006